(57)【要約】      （修正有）【課題】簡易な技術手段により上記雨戸を窓部材に着脱自在に固定することができる網戸付き雨戸の止め金具を提供する。【解決手段】建物Ｂに於ける室外側の面に配置した雨戸２４は各雨戸が可動自在又は折畳みかつ拡張自在に構成され、折畳みかつ拡張自在となっている。該雨戸２４の背後に備えた網戸２５で上記各雨戸２４Ａないし２４Ｄの枠幅分の各網戸２５Ａ、２５Ｂ、すなわち２個分を配備している。建物Ｂの開口部Ｃの左側及び右側つまり該雨戸２４の左端部及び右端部に垂直方向（縦）に形成された断面略矩形状枠を有する左右雨戸枠体を上記窓部材３１の左右枠３３ｃに上記止め金具３２によって固定した。【選択図】 図１
2006002378.tif 000002
【特許請求の範囲】
【請求項１】
雨戸と、該雨戸の背後に備えた網戸と、該網戸の背後に備えた窓部材と、該雨戸が所望数の各雨戸の組で構成すると共に該各雨戸を可動自在に構成し、上記各雨戸に上框、下框及び中間框を有し、該上框と中間框の間及び中間框と下框の間に上記雨戸の水平方向（横）に多段式に列設した開閉自在の可動ガラリとでなる構成に於いて、断面略矩形状枠に形成した上記雨戸の枠体を上記窓部材の枠体に固定する止め金具であって、該窓部材の枠体に圧接する第１平面部と、該雨戸の枠体に緊締部品で固定しかつ該第１平面部に一体成形された第２平面部とを形成した断面略ヘ字状の第１押え片及び該第１押え片の下面に略直交して結合されると共に上記雨戸の枠体内に固定されかつ上記第１押え片と略同一形状の第２押え片とを有したことを特徴とする網戸付き雨戸の止め金具。
【請求項２】
雨戸と、該雨戸の背後に備えた網戸と、該網戸の背後に備えた窓部材と、該雨戸が所望数の各雨戸の組で構成すると共に該各雨戸を可動自在に構成し、上記各雨戸に上框、下框及び中間框を有し、該上框と中間框の間及び中間框と下框の間に上記雨戸の水平方向（横）に多段式に列設した開閉自在の可動ガラリとでなる構成に於いて、断面略矩形状枠に形成した上記雨戸の枠体を上記窓部材の枠体に固定する止め金具であって、該窓部材の枠体に圧接する第１平面部と、該雨戸の枠体に第１緊締部品で固定しかつ該第１平面部に一体に一体成形された第２平面部とを形成した断面略ヘ字状第１押え片及び該第１押え片の下面に略直交して結合され共に上記雨戸の枠体内に第２緊締部品により圧着しかつ上記第１押え片と略同一形状の第２押え片とを有したことを特徴とする網戸付き雨戸の止め金具。
【請求項３】
前記第１押え片と前記第２押え片は一体成形して単一にしたことを特徴とする請求項１又は２記載の網戸付き雨戸の止め金具。
【請求項４】
前記第２押え片の幅長は、上記雨戸の断面略矩形状枠の水平方向枠内幅長と略同一寸法に設定したことを特徴とする請求項１、２又は３記載の網戸付き雨戸の止め金具。
【請求項５】
前記第１押え片の第２平面部に長孔を貫通形成したことを特徴とする請求項１、２又は３記載の網戸付き雨戸の止め金具。
【請求項６】
前記第１及び第２押え片の第１平面部と第２平面部との結合部位を段差状に形成したことを特徴とする請求項１、２、３、４又は５記載の網戸付き雨戸の止め金具。
【発明の詳細な説明】
【技術分野】
【０００１】
本発明は、既存の建物開口部であるサッシ又は窓に着脱自在に設置可能であると共に、当該雨戸内に装着した可動ガラリを外部から採光若しくは送風可能な状態に変位させた際、該可動ガラリが建物の外部に飛出すことなくまた、外部から強風が該雨戸に吹付けた際にも風切音の低減化を図ると共に簡易な技術手段により上記雨戸を窓部材に着脱自在に固定することができる網戸付き雨戸の止め金具に関するものである。
【背景技術】
【０００２】
従来、この種の建物開口部用網戸に於けるルーバー取付構造の一例としては、特開２００２−２７６２６８公開特許公報に開示した技術がある。これについて図９（ａ）、（ｂ）に基づき説明すれば、網戸１は、建物開口部のサッシの上部から垂下する垂下縁と、下部から起立する起立縁との間において、横開き式にスライド開閉するように装設するためのもので、概略的には、略矩形状に形成した網戸枠２と、該網戸枠２に張設したネット３と、当該網戸１に取り付けるルーバー４とを備えている。上記網戸枠２は、上下の横枠部材５、６及び左右の縦枠部材７、８により略矩形状に形成されている。上部の横枠部材５の左右両端部には、サッシの上部から垂下する垂下縁を挟持して網戸１の走行をガイドする摺動部材９、９が、それぞれ該横枠部材５の内部に配設されたばね部材１３により上方に付勢された状態で出没自在に配設されている。また、上記摺動部材９には、サッシにおける垂下縁の下端に該摺動部材９が当接した場合に、それらの間の摩擦を軽減し、網戸１の走行を円滑に行うための転輪１０が配設されている。一方、下部の横枠部材６の左右両端部には、サッシの下部から起立する起立縁を挟持して、該起立縁上を転動する転輪１１を備えた摺動部材１２が配設されている。上記ネット３は、防虫性を有するシート状のネット３を、上下の横枠部材５、６及び左右の縦枠部材７、８の内縁において支持固定することにより、上記網戸枠２に張設されている。
上記網戸１に取り付けるルーバー４は、網戸枠２の内縁に取り付ける固定枠１４と、該固定枠１４に固定する複数のルーバー羽板１５、１６とを備えている。上記固定枠１４は、上下の横枠部材５、６の内縁に取り付ける固定枠１４と、左右の縦枠部材７、８の内縁に取り付ける固定枠部１４ｂとで構成されており、それらの固定枠部１４ａ、１４ｂを、それぞれネット３に接する状態で網戸枠２にネジで固定している。そして、上記左右の縦枠部材７、８に固定した固定枠部１４ｂの対向面間に、上記ルーバー羽板１５の複数を所定の間隔をおいて取り付けることにより構成している。なお、上記固定枠１４における上下の固定枠部１４ａは省略することもできる。
上記ルーバー羽板１５は、紫外線を反射する素材により断面略への字形に形成されており、それらのルーバー羽板１５を、正面から見たときに隙間が形成されないように、それぞれのルーバー羽板１５、１５の一部が重なり合うように、上記固定枠１４に取り付けている。上記ルーバー羽板１５の固定枠１４への取り付けは、断面略角筒状の固定枠部１４ｂに、ルーバー羽板１５の両端部を差し込むことにより取り付けている。
【０００３】
また、従来の技術に於ける雨戸の構造の他の例としては特開２００３−１５５８８１公開特許公報に開示した技術がある。これについて図１０に基づき説明すれば、当該雨戸は、建物の開口Ａに略沿うように固定された固定枠１７と、この固定枠１７に配置された複数の雨戸１８、１８…からなっていて、それぞれの雨戸１８、１８…がそれぞれ室外側に折畳まれるようになっている。前記固定枠１７は、各雨戸１８、１８…と開口Ａ間の間隔を保たせてつつ該雨戸１８を取付けるもので、サッシ枠等と雨戸の位置調整に使用する。前記固定枠１７には、室外側横枠１７ａにレール部１７ｂが設けられており、図１０に示すように上下レール部１７ｂ、１７ｂの各両端には、それぞれターンテーブルが設けられている。前記レール部１７ｂ及び前記ターンテーブルは、雨戸１８、１８…が折り畳まれたり、折り広げられる場合に、それぞれの雨戸１８、１８…に取付けられたガイド突起兼用ストッパのロッドが走行する部分である。前記固定枠１７は、上記のように構成され、前記開口Ａの周囲を沿って止着具を介して躯体側に固定されている。
【０００４】
前記雨戸１８は、上下框１９、２０、竪框及び中框２１から雨戸框を形成し、上框１９と中框２１間、下框２０と中框２１間に、それぞれ複数のスラット２２ａ、２２ｂを水平方向に配列している。前記中框２１は、図１０に示したように上下２列に形成され、上下中框２１ａ、２１ｂには、それぞれ前記スラット２２ａ、２２ｂを揺動される第１、第２揺動機構を操作する操作スライダー２３を臨ませている。前記中框２１を上下中框２１ａ、２１ｂに２列にすることなく、一体型としてもよい。
【特許文献１】特開２００２−２７６２６８公開特許公報
【特許文献２】特開２００３−１５５８８１公開特許公報
【発明の開示】
【発明が解決しようとする課題】
【０００５】
従来の技術は、背景技術で述べたような構成及び作用であるので次の課題が存在した。
すなわち、上記一例としての特開２００２−２７６２６８公開特許公報に開示した技術によれば、上記ルーバー羽板１５、１６を取り付けるための固定枠１４を、網戸枠２における左右の縦枠部材７、８の内縁に沿ってネット３に接する状態で取り付けているので、網戸１自体の厚みを可及的に厚くすることなく、網戸１自体の厚さの範囲から大きく突出せずに上記ルーバー４を固定することができ、したがって、上記網戸１を、サッシの外側に装設された雨戸等の開閉に干渉しないようにサッシに装設することができるという特徴がある。
しかしながら、当該特開２００２−２７６２６８公開特許公報に開示した技術は、もとより網戸付き雨戸及びその止め金具に係る技術は開示されておらず、該雨戸を簡易かつ迅速に窓部材に装着することができないという問題点があった。
【０００６】
また、従来の技術に於ける他の例としての特開２００３−１５５８８１公開特許公報に開示した技術によれば、建物の開口に設けられる建具としての折れ雨戸であって、特に、雨戸１８の雨戸框１９、２０に配列された複数のスラット２２ａ、２２ｂを揺動させる揺動機構を備えた折れ雨戸１８において、該揺動機構は、スライド力を回転力に変換させるねじりバーと、該ねじりバーの一端側に取付けられ、かつ、その回転力が伝達される第１の伝達部材と、該第１の伝達部材に取付けられ、かつその回転力が伝達されるバー部材と、複数のスラット２２ａ、２２ｂに対応するように、バー部材に所定間隔を置いて取付けられ、その回転力が伝達される第２の伝達部材とからなることを特徴としている。
而して、当該従来の技術の他の例では、網戸や窓ガラス又はサッシの存在しない複数のスラットの開閉装置であって、特に、複数のスラット２２ａ、２２ｂの開閉構造を示す技術である。
そして、当該従来の技術に於ける他の例では、該複数のスラット２２ａ、２２ｂを開放した際、該複数のスラット２２ａ、２２ｂの相互間で形成された隙間から外気が建物内に流入すると共に、特に、蝿又は蚊等の虫類も這り込むので弊害があり、これを防止するためには室内側に網戸を別置する必要があった。そのため網戸を設置するための工数や設置費用が大幅に増大するうえに既存の建築物に後付け不可能な場合もあり、この他の例は実用的でなかった。また、上記複数のスラット２２ａ、２２ｂの形状が当該公開特許公報の図７に開示したように略Ｌ字状に構成され、室外から該複数のスラット２２ａ、２２ｂに強風を伴う場合、これの風切音が高く居住性が悪いという問題点があった。
また、当該特開２００３−１５５８８１公開特許公報に開示された技術によれば雨戸を窓部材に簡易かつ迅速に固定する手段が存在しないという問題点もあった。
【課題を解決するための手段】
【０００７】
本発明に係る網戸付き雨戸の止め金具は、既存又は新設の建物に於いて雨戸を窓又は窓ガラス若しくはサッシの外側に容易に嵌め込んで装着可能にすると共に該雨戸の裏側に網戸を備えてなり、この雨戸全体を可動自在に構成し、この各雨戸を例えば断面形状が略Ｓ字状又は波形若しくはＭ字状の多数段に列設した可動ガラリで一体構成してなる網戸付き雨戸であって、当該雨戸内に装着した可動ガラリを外部から採光若しくは送風可能な状態に変位させた際、該可動ガラリが建物の外部に飛出すことなくまた、外部から強風が該雨戸に吹付けた際にも風切音の低減化を図ると共に簡易な技術手段により上記雨戸を窓部材に着脱自在に固定することができることを目的としたものであって、次の構成、手段から成立する。
【０００８】
請求項１記載の発明によれば、雨戸と、該雨戸の背後に備えた網戸と、該網戸の背後に備えた窓部材と、該雨戸が所望数の各雨戸の組で構成すると共に該各雨戸を可動自在に構成し、上記各雨戸に上框、下框及び中間框を有し、該上框と中間框の間及び中間框と下框の間に上記雨戸の水平方向（横）に多段式に列設した開閉自在の可動ガラリとでなる構成に於いて、断面略矩形状枠に形成した上記雨戸の枠体を上記窓部材の枠体に固定する止め金具であって、該窓部材の枠体に圧接する第１平面部と、該雨戸の枠体に緊締部品で固定しかつ該第１平面部に一体成形された第２平面部とを形成した断面略ヘ字状の第１押え片及び該第１押え片の下面に略直交して結合されると共に上記雨戸の枠体内に固定されかつ上記第１押え片と略同一形状の第２押え片とを有したことを特徴とする。
【０００９】
請求項２記載の発明によれば、雨戸と、該雨戸の背後に備えた網戸と、該網戸の背後に備えた窓部材と、該雨戸が所望数の各雨戸の組で構成すると共に該各雨戸を可動自在に構成し、上記各雨戸に上框、下框及び中間框を有し、該上框と中間框の間及び中間框と下框の間に上記雨戸の水平方向（横）に多段式に列設した開閉自在の可動ガラリとでなる構成に於いて、断面略矩形状枠に形成した上記雨戸の枠体を上記窓部材の枠体に固定する止め金具であって、該窓部材の枠体に圧接する第１平面部と、該雨戸の枠体に第１緊締部品で固定しかつ該第１平面部に一体に一体成形された第２平面部とを形成した断面略ヘ字状第１押え片及び該第１押え片の下面に略直交して結合され共に上記雨戸の枠体内に第２緊締部品により圧着しかつ上記第１押え片と略同一形状の第２押え片とを有したことを特徴とする。
【００１０】
請求項３記載の発明によれば、請求項１又は２記載の発明に於いて、前記第１押え片と前記第２押え片は一体成形して単一にしたことを特徴とする。
【００１１】
請求項４記載の発明によれば、請求項１、２又は３記載の発明に於いて、前記第２押え片の幅長は、上記雨戸の断面略矩形状枠の水平方向枠内幅長と略同一寸法に設定したことを特徴とする。
【００１２】
請求項５記載の発明によれば、請求項１、２又は３記載の発明に於いて、前記第１押え片の第２平面部に長孔を貫通形成したことを特徴とする。
【００１３】
請求項６記載の発明によれば、請求項１、２、３、４又は５記載の発明に於いて、前記第１及び第２押え片の第１平面部と第２平面部との結合部位を段差状に形成したことを特徴とする。
【発明の効果】
【００１４】
本発明に係る網戸付き雨戸の止め金具は、上述の構成を有するので次の効果がある。
【００１５】
請求項１記載の発明によれば、雨戸と、該雨戸の背後に備えた網戸と、該網戸の背後に備えた窓部材と、該雨戸が所望数の各雨戸の組で構成すると共に該各雨戸を可動自在に構成し、上記各雨戸に上框、下框及び中間框を有し、該上框と中間框の間及び中間框と下框の間に上記雨戸の水平方向（横）に多段式に列設した開閉自在の可動ガラリとでなる構成に於いて、断面略矩形状枠に形成した上記雨戸の枠体を上記窓部材の枠体に固定する止め金具であって、該窓部材の枠体に圧接する第１平面部と、該雨戸の枠体に緊締部品で固定しかつ該第１平面部に一体成形された第２平面部とを形成した断面略ヘ字状の第１押え片及び該第１押え片の下面に略直交して結合されると共に上記雨戸の枠体内に固定されかつ上記第１押え片と略同一形状の第２押え片とを有したことを特徴とする網戸付き雨戸の止め金具を提供する。
このような構成としたので、止め金具が第１及び第２押え片若しくはボルト又はナット等の緊締部品等の少ない部品で構成し、新設又は既存の折れ雨戸や各種の上記雨戸を上記窓部材に簡易かつ迅速に脱着自在に固定でき、雨戸の交換を容易にし併せて装着のための工数を大幅に削減し量産に好適な網戸付き雨戸を提供する効果がある。
【００１６】
請求項２記載の発明によれば、雨戸と、該雨戸の背後に備えた網戸と、該網戸の背後に備えた窓部材と、該雨戸が所望数の各雨戸の組で構成すると共に該各雨戸を可動自在に構成し、上記各雨戸に上框、下框及び中間框を有し、該上框と中間框の間及び中間框と下框の間に上記雨戸の水平方向（横）に多段式に列設した開閉自在の可動ガラリとでなる構成に於いて、断面略矩形状枠に形成した上記雨戸の枠体を上記窓部材の枠体に固定する止め金具であって、該窓部材の枠体に圧接する第１平面部と、該雨戸の枠体に第１緊締部品で固定しかつ該第１平面部に一体に一体成形された第２平面部とを形成した断面略ヘ字状第１押え片及び該第１押え片の下面に略直交して結合され共に上記雨戸の枠体内に第２緊締部品により圧着しかつ上記第１押え片と略同一形状の第２押え片とを有したことを特徴とする網戸付き雨戸の止め金具を提供する。
このような構成としたので、請求項１記載の効果に加えて、２つの押え片及びボルト等３部品の簡易な構成でなる止め金具を構成することができ、この止め金具を雨戸の固定以外にも共同部品として適用でき、その市場性が高く、量産に優れた止め金具を提供する効果がある。
【００１７】
請求項３記載の発明によれば、前記第１押え片と前記第２押え片は一体成形して単一にしたことを特徴とする請求項１又は２記載の網戸付き雨戸の止め金具を提供する。
このような構成としたので、請求項１又は２記載の効果に加えて、第１及び第２押え片を一体成形し単一物としての適用も可能となり、さらに雨戸を窓部材に固定するための工数を低減すると共に緊締部品点数の削減を図ることができる効果がある。
【００１８】
請求項４記載の発明によれば、前記第２押え片の幅長は、上記雨戸の断面略矩形状枠の水平方向枠内幅長と略同一寸法に設定したことを特徴とする請求項１、２又は３記載の網戸付き雨戸の止め金具を提供する。
このような構成としたので、請求項１、２又は３記載の効果に加えて、雨戸断面略矩形状の枠体内が第２押え片のガイド機能を図り雨戸と窓部材の固定に際しガタ付きのない高品質の止め金具を提供する効果がある。
【００１９】
請求項５記載の発明によれば、前記第１押え片の第２平面部に長孔を貫通形成したことを特徴とする請求項１、２又は３記載の網戸付き雨戸の止め金具を提供する。
このような構成としたので、請求項１、２又は３記載の効果に加えて、雨戸を固定する窓部材の設計寸法や各種の構造に対応させて長孔に挿入するボルト等の位置決めを調整しながら固定することができる効果がある。
【００２０】
請求項６記載の発明によれば、前記第１及び第２押え片の第１平面部と第２平面部との結合部位を段差状に形成したことを特徴とする請求項１、２、３、４又は５記載の網戸付き雨戸の止め金具を提供する。
このような構成としたので、請求項１、２、３、４又は５記載の効果に加えて、雨戸を固定する窓部材や雨戸の枠体の設計仕様や各種構造に対応させて第１平面部及び第２平面部に圧接する度合を調整しながら適宜の圧着力を保持させて適正に雨戸を窓部材に脱着自在に固定することができる効果がある。
【発明を実施するための最良の形態】
【００２１】
以下、本発明に係る網戸付き雨戸の止め金具に於ける実施の形態について添付図面に基づき詳細に説明する。
【００２２】
図１は、本発明に係る止め金具を装着した網戸付き雨戸の実施の形態を示す断面概要図であって、その高さ方向を一部省略して切断した図面である。
図２は、本発明に係る止め金具を装着した網戸付き雨戸の実施の形態に於いて、室外側からみた該雨戸を拡張した際の正面図である。
図３は、本発明に係る止め金具を装着した網戸付き雨戸の実施の形態に於いて、窓部材に取付けた場合の室内側からみた正面図である。
図４は、図１の矢視Ｄ−Ｄ線方向からみた当該網戸付き雨戸Ｅの上面概要図である。
【００２３】
２４は建物Ｂに於ける室外側の面に配置した雨戸であって、例えば、各雨戸が可動自在又は折畳みかつ拡張自在に構成され、図２に示すものは各雨戸２４Ａ、２４Ｂ、２４Ｃ、２４Ｄを備えており、折畳みかつ拡張自在となっている。２５は該雨戸２４の背後に備えた網戸であって、図３に示すように上記各雨戸２４Ａないし２４Ｄの枠幅分の各網戸２５Ａ、２５Ｂ、すなわち２個分を配備している。
図１に於いて２６Ａ及び２６Ｂは建物Ｂの開口部Ｃに備えた上部枠体及び下部枠体である。上記上部枠体２６Ａは、雨戸枠としてのレール枠２６Ａ１と、該レール枠２６Ａ１に一体形成されかつ上部枠体２６Ａと一体になった上部雨戸枠２６Ａ２又は上部網戸枠を備えている。
また、下部枠体２６Ｂは、支持ガイド枠２６Ｂ１と、該支持ガイド枠２６Ｂ１と一体形成された下部雨戸枠２６Ｂ２又は下部網戸枠を備えている。
【００２４】
上記雨戸２４は、上方には上記レール枠２６Ａ１内に滑動自在に載置された吊戸車２７に連結部材２８を介して連結する上框２９ａを設け、及び下方には、上記支持ガイド枠２６Ｂ１に滑動自在に係止する下框２９ｂを設けている。そして、該下框２９ｂは係合突子２９ｂ１を備え、この係合突子２９ｂ１を支持ガイド枠２６Ｂ１に係合している。また、該雨戸２４の上下の略中間位置には中間框２９ｃを備えており、この中間框２９ｃは、上、下に断面形状が略Ｈ型であって薄板状鋼板で成形された第１枠体２９ｃ１及び第２枠体２９ｃ２と、その第１及び第２枠体２９ｃ１及び２９ｃ２間を連係してその前端と後端を結ぶ斜面枠体としての第３枠体２９ｃ３とを一体成形している。
【００２５】
３０は可動ガラリであって、図１に示すように上框２９ａと上記中間框２９ｃとの間に、及び上記中間框２９ｃと、上記下框２９ｂとの間に、図２に示すように横方向に所定の長さを有し、かつ上下に連続して多数個を開放閉止自在に列設している。該可動ガラリ３０は、図１に示すように断面形状が概ねＳ字状若しくはＭ字状又はいわゆる波形形状の羽根体で構成しており、開閉レバーローレット機構を回動操作することにより、該可動ガラリ３０の開閉動作を行なう。そして、上記可動ガラリ３０が開放した際、つまり、水平方向に回動したとき、（図１の破線で示す）該可動ガラリ３０の先端部３０ａが当該雨戸２４の前面から室外側へ飛出すことがないように設定されている。そして、図４に示すように当該雨戸２４のうち各雨戸２４Ａ、２４Ｂ及び２４Ｃ、２４Ｄを一点鎖線Ｌ１、Ｌ２の位置からＬ３、Ｌ４の位置を経て実線で示すように右側及び左側に折畳んだとき、建物Ｂの開口部Ｃに配置した窓部材３１、すなわち室外側面の窓部材３１ａ及び室内側面の窓部材３１ｂであって、この窓部材３１ａ、３１ｂを図示するように重なるように可動した際、このとき、左右の空間部位Ｆ、Ｇに各網戸２５Ａ及び２５Ｂを左側及び右側に可動し、位置決定をすることにより当該左右の空間部位Ｆ及びＧは外部から上記網戸２５Ａ、２５Ｂにより閉塞され外気は流過するが、蚊や蝿等の虫類は該網戸２５Ａ、２５Ｂの網目により侵入を阻止する。
【００２６】
該網戸２５は、例えば、上記各雨戸２４Ａないし２４Ｄの２枠分又は２個分、すなわち図３に示すように雨戸２４Ａ及び２４Ｄの背後に配備された網戸２５Ａ及び２５Ｂを有してなる。３１は、既存又は新設の窓部材であり、例えば、図４に示すように２枚で一組３１ａ、３１ｂを構成し、これを左又は右に可動することにより上記建物Ｂの開口を閉止するように構成している。そして、窓、サッシ又は窓ガラス等で構成され、建物Ｂの室内側の面に配置されてあってかつ、上記網戸２５の背部に配置されている。
【００２７】
尚、図１に於いて３２は止め金具であり、第１押え片３２ａ、第２押え片３２ｂ及びネジ付き小ボルト等の第１及び第２緊締部品３２ｃ、３２ｄで構成され、上記雨戸２４と、窓部材３１を係止する金具等でなる。３３ａ及び３３ｂは上記窓部材３１の上方枠及び下方枠であって、建物Ｂに固定されており該窓部材３１を上方及び下方から嵌合し、かつ、それぞれ上記雨戸２４の上部枠体２６Ａ及び下部枠体２６Ｂに例えば、ワンタッチ段等による着脱自在又は溶接により連結可能に固定できるものとする。
而して、本発明によれば図４に示すように雨戸２４（２４Ａないし２４Ｄ）に網戸２５（２５Ａ、２５Ｂ）を付設した構造体、すなわち網戸付き雨戸Ｅとして意義を有し、従来に存在した雨戸２４の商品価値を高める機能を有する。そして、例えば、雨戸製造工場等に於いて、上記雨戸２４、上記網戸２５、上記上部枠体２６Ａ及び上記下部枠体２６Ｂのそれぞれを一体構成物として組付け完成し、建物Ｂの現場に搬送して窓部材３１の上方枠及び下方枠３３ａ、３３ｂにこれを係合して取付け完了する。従って、既存の建物Ｂに取付け可能とするばかりか取替えにも応じる技術を提供する。
尚、上記上方枠３３ａ及び下方枠３３ｂは上記上部枠体２６Ａ及び下部枠体２６Ｂに一体形成してもよい。また、該上方枠３３ａ及び下方枠３３ｂは例えば、異形状突片３３ｃを一体成形し、これを窓部材３１の上縁部又は下縁部に埋込み構成してもよい。
【実施例】
【００２８】
次に、図１ないし図９（ａ）、（ｂ）に基づき、本発明に係る網戸付き雨戸の止め金具に於ける実施例について更に、詳しく説明する。
【００２９】
図５は、本発明に係る止め金具を装着した網戸付き雨戸の一例を示すもので、その雨戸の上面からみた平面図であって、折り畳み可能な状態を示す図である。
【００３０】
図１に示すように、上記吊戸車２７は、上記レール枠２６Ａ１内であって、該雨戸２４を折り畳む際、雨戸２４の水平（横）方向の左右に滑動自在に動作しかつ、該レール枠２６Ａ１内に載置されている。上記吊戸車２７は、回転軸２７ａと、該回転軸２７ａの左右又は前後端部２７ｂ、２７ｃに回転自在に枢着された２つの車輪２７ｄ、２７ｄとを有している。そして、２つの該車輪２７ｄ、２７ｄは上記レール枠２６Ａ１の底部に形成した２つの略Ｕ字状又はコ字状のレール部２６ａ、２６ａの内面に載置され、上記雨戸２４の各雨戸、例えば図１に示すように雨戸２４Ａ、２４Ｂを左側に、雨戸２４Ｃ、２４Ｄを右側に折り畳むとき、上記吊戸車２７の車輪２７ｄ、２７ｄを上記レール部２６ａ、２６ａの内面上を走行する。そして、上記吊戸車２７と上框２９ａを連結する連結部材２８は、実施例としては、軸棒（不図示）及び上、下固定板（不図示）を介して、上記上框２９ａに連結している。更に、上記軸棒の上端はコイルスプリング又はバネ片等でなる弾性部品（不図示）を介して連結部材２８に形成した軸受部に係合している。該軸受部は凹陥を形成してなり、上記軸棒に対して回動自在に可動するように及びガイド機能も併有する。
【００３１】
上記雨戸２４に於いて各雨戸２４Ａと各雨戸２４Ｂの間は図５に示すように折畳みかつ拡張可能にすべくした各種の形状、構造を有する連結金具３４で結合されている。この連結金具３４は各雨戸２４Ｃと各雨戸２４Ｄの間にも配置している。そして、該連結金具３４は、該雨戸２４の上端から下端まで一連に設けているが、その構造、形状等によっては上、下端に各々１個を備えることにしてもよい。該連結金具３４は例えば、金属材料又は各種の樹脂で形成したヒンジ等で構成され、図２及び図５に示すように室外側からみて一方の雨戸２４Ａの右端枠２４Ａ１と他方の雨戸２４Ｂの左端枠２４Ｂ１に連結するそれぞれ回動自在軸部３４ａ、３４ａと、この回動自在軸部３４ａ、３４ａに軸着する本体部３４ｂとを構成してなる。該連結金具３４の本体部３４ｂは内部が空洞を形成して軽量化を図っている。
また、上記連結金具３４は、図５には図示しないが一方の雨戸２４Ｃの右端枠２４Ｃ１と他方の雨戸２４Ｄの左端枠２４Ｄ１にも前記と同様に配置している。
【００３２】
上記雨戸２４のうちその中央部、例えば、各雨戸２４Ｂと各雨戸２４Ｃ間にはその上端から下端まで、若しくは適宜の部位に複数個の着脱自在の吸着部材３５を介装している。該吸着部材３５は、例えば、磁石体（マグネット）や係止部品で構成され、図１及び図５に示すように、上記各雨戸２４Ｂの右端枠２４Ｂ２及び／又は上記雨戸２４Ｃの左端枠２４Ｃ２に備えている。
尚、上記吸着部材３５は上記雨戸２４を拡張した際に、当該各雨戸２４Ｂと各雨戸２４Ｃが閉止できる構成であれば必ずしも設ける必要はない。
【００３３】
上記各網戸２５Ａ及び２５Ｂは上記雨戸２４の背後に配置されてあって、通例では建物Ｂの窓部の開放を図るために該各雨戸２４Ａないし２４Ｄのうち２個分、すなわち２枠分を備えている。そして、該各網戸２５Ａ及び２５Ｂはそれぞれ概ね上記各雨戸２４Ａないし２４Ｄの１個分の幅長を有している。
【００３４】
尚、図５に於いて、３７は雨戸ロック機構であって、上記雨戸２４Ａないし２４Ｄのいずれか又はそれぞれに装着しており、汎用のロック・アンロック機構で構成され室内側にロックピン３７ａを突出させ、このロックピン３７ａを押圧し又は引戻し等（プッシュ、プル）を行なうことにより該雨戸２４を閉止し又は開放することを許容する。
【００３５】
次に、本発明に係る止め金具を装着した網戸付き雨戸に於ける実施例に基づいてその動作等を説明する。
【００３６】
先づ、図４に示すように、雨戸２４のうち各雨戸２４Ａ及び各雨戸２４Ｂを一方側に、各雨戸２４Ｃ及び各雨戸２４Ｄを他方側に折畳むときは、上記雨戸ロック機構３７のロックピン３７ａをプッシュ等を行いロック解除する。そして、上記雨戸２４Ａ及び雨戸２４Ｂや上記雨戸２４Ｃ及び雨戸２４Ｄを室外側に押出し操作すれば、図５に示すように連結金具３４が破線で示す位置に移動する。各雨戸２４Ｃ及び各雨戸２４Ｄについても図示しないが同様の動作を行なう。
【００３７】
すなわち、上記各雨戸２４Ａ及び各雨戸２４Ｂは図４に示すように水平位置Ｌ１から傾き角度を変化させながら室外側へ突出する方向位置Ｌ３に移動する。この際、上記各雨戸２４Ａ及び各雨戸２４Ｂの雨戸枠、すなわちレール枠２６Ａ１を各雨戸２４Ａ及び各雨戸２４Ｂの傾きに応じて傾斜させ、図１に示すようにレール枠２６Ａ１のレール部２６ａ、２６ａも同様に室外側へ傾かせながら吊戸車２７を該レール部２６ａ、２６ａの内面上に走行させる。
【００３８】
また、軸棒の上端は弾性部品を介して連結部材に形成した軸受部に係合しており、この弾性部品の弾性回転力により該軸棒の上端の廻りに連結部材を図１に於いて右回転方向又は左回転方向に回動させる。
而して、図４に示すように上記各雨戸２４Ａ及び各雨戸２４Ｂは一方側（左端）に折畳むことができる。同様な動作により上記各雨戸２４Ｃ及び各雨戸２４Ｄは水平位置Ｌ２から室外側へ突出する方向位置Ｌ４を経て他方側（右端）に折畳むことができる。そして、重ねて配置した窓部材３１ａ及び３１ｂの左、右の空間部位Ｆ、Ｇに上記網戸２５Ａ及び上記網戸２５Ｂを可動して位置設定すれば、当該空間部位Ｆ、Ｇは網戸２５Ａ、２５Ｂにより閉塞され外気は流過するが、蚊や蝿等の虫類は該網戸２５Ａ、２５Ｂにより侵入できない。
尚、上記各雨戸２４Ａないし２４Ｄは折畳みかつ伸張自在に構成したものを説明したが、本発明は各雨戸が折畳むことなく左右に可動自在に移動する構成のものにも適用できる。
【００３９】
次に、図３について説明し、可動ガラリ３０の開閉動作等を明らかにする。
【００４０】
図３に於いて、３８は開閉レバーローレット機構であって、回転摘みと、該回転摘みの回動操作によって回転動作をするレバーアーム（不図示）と、該レバーアームに連結されたアーム係合片（不図示）とで構成される。そして、該開閉レバーローレット機構３８は図３に示すように上記各雨戸２４Ａないし２４Ｄの背部であって、中間框２９ｃで上下に区分された雨戸枠体２４ａの部位にそれぞれ配備している。すなわち、本実施例によれば８個を設置する。上記回転摘みを回転させると、上記アーム係合片が上下動する。アーム係合片の先端は係止突子（不図示）を形成し、この係止突子は、各雨戸２４Ａないし２４Ｄにそれぞれ備えた作動杆（不図示）の係止孔（不図示）に係合する。該作動杆はアーム係合片の上下動により、一端を該作動杆に、その他端を可動ガラリ３０の作動軸（不図示）にそれぞれ軸着した多数個かつ水平（横方向）であって多段状に上記各雨戸２４Ａないし２４Ｄに配置したカム（不図示）を所定角度例えば、９０（°）の範囲内に可動する。
該カムの動作により上記可動ガラリ３０を図１に実線で示す閉止位置から破線で示す開放位置まで回動する。
【００４１】
図中、２４ａ、２４ｂは図２に示すように各雨戸２４Ａないし２４Ｄの両側にそれぞれ垂直方向に備えた各雨戸の左右枠体であり、図１に示すような上記可動ガラリ３０の作動軸３０ｂを水平（横）方向に固定している。
【００４２】
室外から外気を取込んでいない場合は可動ガラリ３０は、図１の実線で示すように閉止状態となっている。そして、かかる状態に於いて、室外から外気を室内に流過させるときは、図３に示す開閉レバーローレット機構３８の所望するいずれか又は全部の回転摘みを例えば、矢印ａ方向（右回転）に回転させる。そこでその回転力が上記レバーアーム、アーム係合片及び作動杆に伝達され、上記カムを所望位置まで回動させ、これに連動して可動ガラリ３０が所望方向に傾斜させて該可動ガラリ３０を閉止状態から徐々に開放状態にする。該可動ガラリ３０を図１の破線で示す位置、つまり閉止状態から９０（°）等で回転させると全開位置であって全開放状態となる。
このとき可動ガラリ３０の先端部３０ａが当該雨戸２４の前面から室外側へ飛出すことがないように構成されている。
【００４３】
また、上記回転摘み外周面を図示するように連続した凹凸状面に仕上げる等して、回動量の微調整を可能としたので該可動ガラリ３０の開放度合を好みに応じて変化できる。
而して、上記可動ガラリ３０を閉止状態、つまり、図１の実線で示す位置に復元する場合は、上記開閉レバーローレット機構３８の回転摘みを例えば、図３に示す矢印ｂ方向（左回転）に逆回転することにより前述と逆の動作により行うことができる。
【００４４】
次に、上記網戸付き雨戸２４を前述した上部枠体２６Ａ及び下部枠体２６Ｂに垂直方向に連なる左右枠体としての窓部材３１の枠体に着脱自在に固定する構成等について図６（ａ）、（ｂ）ないし図８（ａ）、（ｂ）に基づき説明する。
【００４５】
図６（ａ）、（ｂ）は上部雨戸枠２６Ａ２及び下部雨戸枠２６Ｂ２から垂直方向に上下に一体に設置された上記雨戸２４の枠体であって、特に、建物Ｂの開口部Ｃの左側及び右側つまり該雨戸２４の左端部及び右端部に垂直方向（縦）に形成された断面略矩形状枠２６Ｅ（２６Ｆ）を有する左右雨戸枠体２６Ｃ（２６Ｄ）を上記窓部材３１の左右枠３３ｃ（３３ｄ）に上記止め金具３２によって固定した状態を示した水平断面図である。尚、図面は左右の一方側を例示的に示してある。
【００４６】
上記止め金具３２は、図７（ａ）、（ｂ）に示すように、例えば肉薄状の第１押え片３２ａと、肉薄状の第２押え片３２ｂと、ネジ付き小ボルトでなる第１、第２緊締部品３２ｃ、３２ｄで構成している。上記第１押え片３２ａは断面略ヘ字状でなり図６（ａ）、（ｂ）及び図８（ａ）、（ｂ）、（ｃ）に示すように例えば、前記窓部材３１の左右枠３３ｃ（３３ｄ）の垂直平面３３１に圧接又は圧着して固定される第１平面部３２ａ１及び該第１平面部３２ａ１に段差状結合部３２ａ５に連なりこれと一体形成された第２平面部３２ａ２を備えている。この第２平面部３２ａ２は略中心部であって該第１押え片３２ａの長さ方向に所定幅の貫通した長孔３２ａ３を形成し、この長孔３２ａ３内を例えばネジ付き小ボルトでなる第１緊締部品３２ｃを挿入し、かつ第２押え片３２ｂの第１平面部３２ｂ１に形成した図８（ａ）、（ｂ）、（ｃ）に示すネジ穴３２ｂ３に螺合させ上記左右雨戸枠体２６Ｃ（２６Ｄ）を上記窓部材３１の左右枠３３ｃ（３３ｄ）に締め付け固定する。また、上記第１押え片３２ａの第１平面部３２ａ１は図７（ｂ）に示すように水平位置から傾斜角θを有して窓部材３１の左右枠３３ｃ（３３ｄ）の垂直面３３１方向に傾斜させている。このように構成したので、該第１押え片３２ａを窓部材３１の左右枠３３ｃ（３３ｄ）に圧接した際、圧着力が増大する作用を奏する。
図中、３２ａ４は、第１押え片３２ａの第２平面部３２ａ２の端部に形成した折り返し部である。
【００４７】
上記第２押え片３２ｂは図８（ａ）、（ｂ）、（ｃ）に示すように、上記第１押え片３２ａと形状及び構造が略同一でなり全体が略ヘ字状に形成している。該第２押え片３２ｂは第１押え片３２ａの第２平面部３２ａ２の下面であって、図１に示す室外側方向に配置されかつ上記第１緊締部品３２ｃで固定される第１平面部３２ｂ１と、該第１平面部３２ｂ１と段差状結合部３２ｂ５を介して一体形成される第２平面部３２ｂ２を有してなる。該第１及び第２平面部３２ｂ１、３２ｂ２はそれぞれネジ穴３２ｂ３、３２ｂ４を穿孔してあり、ネジ穴３２ｂ３は、上記第１緊締部品３２ｃ、具体的には図６（ａ）に示すようにネジ部３２ｃ１を周設した小ボルト軸３２ｃ２をねじ込むことを許容し、第１押え片３２ａと第２押え片３２ｂが固定される。
【００４８】
また、上記第２押え片３２ｂは、図６（ａ）、（ｂ）及び図８（ｂ）に示すように左右雨戸枠体２６Ｃ（２６Ｄ）に一体形成した断面略矩形状枠２６Ｅ（２６Ｆ）内に挿置されており、その幅長Ｓ２は、該断面略矩形状枠２６Ｅ（２６Ｆ）内の幅長Ｓ１と略同一寸法若しくは若干幅を狭くして構成し、該第２押え片３２ｂを上記断面略矩形状枠２６Ｅ（２６Ｆ）内挿置したとき左右にガタ付くことがないように設定している。
【００４９】
そして、上記第２押え片３２ｂは図６（ｂ）及び図７（ｂ）に示すように第２緊締部品３２ｄ、例えば、ネジ３２ｄ１を周設した小ボルト軸３２ｄ２をその第２平面部３２ｂ２に設けたネジ孔３２ｂ４にねじ込むことにより断面略矩形状２６Ｅ（２６Ｆ）に固定される。
尚、図（ａ）、（ｂ）に示す符号Ｋは、上記左右雨戸枠体２６Ｃ（２６Ｄ）の背部であって、該断面略矩形状枠２６Ｅ（２６Ｆ）の左右の折り返し面部２６３、２６３の相互間に形成した空間部である。
【００５０】
上記網戸付き雨戸２４を左右枠体としての窓部材３１の左右枠体、３３ｃ（３３ｄ）に取付ける手順等について説明する。
先づ網戸付き雨戸２４を建物Ｂの開口部Ｃから挿装し、窓部材３１の上方枠、下方枠３３ａ、３３ｂ及び左右枠体３３ｃ、３３ｄに嵌め込む。そして、第２押え片３２ｂを図６（ａ）に示す上記断面略矩形状枠２６Ｅ（２６Ｆ）の左右内側面２６１、２６２をガイドとして挿入配置する。第２緊締部品３２ｄを第２押え片３２ｂの第２平面部に仮ねじ止めする。一方、第１押え片３２ａの第１平面部３２ａ１を図６（ａ）に示すように窓部材３１の左右枠体３３ｃ（３３ｄ）の一部、例えば垂直平面３３１に当接する。そして、該第１押え片３２ａを調整して第２平面部３２ａ２の長孔３２ａ３を空間部Ｋを介して前記第２押え片３２ｂの第１平面部３２ｂ１に穿設したネジ穴３２ｂ３に適合するように配置する。上記第１緊締部品３２ｃをねじ込み動作させると該第１押え片３２ａは一方の第１平面部３２ａ１が傾斜角θを拡開させ垂直平面３３１に圧接すると共にその他方の第２平面部３２ａ２が左側の折り返し面部２６３の垂直平面に圧接し断面略矩形状枠２６Ｅ（２６Ｄ）に固定する。
【００５１】
その後、図６（ｂ）に示す上記第２緊締部品３２ｄを完全にねじ込むことにより該第２緊締部品３２ｄの先端３２ｄ３がストッパとしての断面略矩形状枠２６Ｅ（２６Ｆ）の上側内側面２６４に衝当し上記第１押え片３２ａと第２押え片３２ｂは強固な連結状態となり装着を完了する。そこで、止め金具３２により上記網戸付き雨戸２４を窓部材３１の左右枠３３ｃ（３３ｄ）に装着し固定することができる。該網戸付き雨戸２４を窓部材３１の左右枠３３ｃ（３３ｄ）から取外すときは、上述と逆の手順をすればよい。
尚、上述した止め金具の固定方法又は手順は一例を示すものであって、第１押え片３２ａ又は第２押え片３２ｂと第１緊締部品３２ｃ又は第２緊締部品３２ｄのいずれか一方の固定方法のみでもよく、また、第１及び第２緊締部品３２ｃ、３２ｄの締付け作業はいずれが先であっても差支えなく、各種の締付け作業が考えられる。
このように窓部材３１の左右枠３３ｃ（３３ｄ）の垂直方向に複数個又は多数個の簡易な止め金具３２を設置し、網戸付き雨戸２４と窓部材３１の脱着操作を簡易かつ迅速に行うことができる。
【００５２】
尚、上述は第１、第２押え片３２ａ、３２ｂが２部品で構成されたがこれを一体形成し、該網戸付き雨戸２４を窓部材３１の左右枠３３ｃ（３３ｄ）に単一部品として装着又は取外し、してもよい。また、第１及び第２緊締部品３２ｃ、３２ｄを単品で構成してもよく、さらにネジ付き小ボルト以外のネジ無しボルトや他の部品、例えば、爪部材による係合部品等でもよく、各種設計仕様に適合して構成するものとする。
また、上記断面略矩形状枠２６Ｅ（２６Ｆ）は、網戸２４の左右枠に形成してもよく、該網戸２４と窓部材３１を脱着自在とすることも可能である。さらに本発明は、折れ雨戸の固定手段として適用されるばかりでなく、単に左右にスライドする雨戸等にも適用することができる。その利用範囲は広いものである。
【図面の簡単な説明】
【００５３】
【図１】本発明に係る網戸付き雨戸の止め金具の実施の形態を示す断面概要図であって、その高さ方向を一部省略して切断した図面である。
【図２】本発明に係る網戸付き雨戸の止め金具の実施の形態に於いて、室外側からみた該折れ雨戸を拡張した際の正面図である。
【図３】本発明に係る網戸付き雨戸の止め金具の実施の形態に於いて、窓部材に取付けた場合の室内側からみた正面図である。
【図４】図１の矢視Ｄ−Ｄ線方向からみた当該網戸付き雨戸Ｅの上面概要図である。
【図５】本発明に係る網戸付き雨戸の一例を示すもので、その雨戸の上面からみた平面図であって、折り畳み可能な状態を示す図である。
【図６】本発明に係る網戸付きの左右雨戸枠体と窓部材の左右枠を装置し、固定した止め金具を示す水平断面図であって、（ａ）は第１緊締部品の固定状態を示す図、（ｂ）は第２緊締部品の固定状態を示す図である。
【図７】本発明に係る止め金具の一例を示す図面であって、（ａ）は平面図、（ｂ）は（ａ）の矢視Ｈ−Ｈ線方向からみた側面図である。
【図８】本発明に係る止め金具の一例を構成する第２押え片を示す図面であって、（ａ）は（ｂ）の矢視Ｉ−Ｉ線方向から見た断面図、（ｂ）は平面図、（ｃ）は（ａ）の矢視Ｊ方向から見た側面図である。
【図９】従来の技術に於ける網戸に於けるルーバー取付構造の一例を示す断面図であって、（ａ）は正面図、（ｂ）は垂直断面図である。
【図１０】従来の技術に於ける雨戸の構造の他の例を示す断面図である。
【符号の説明】
【００５４】
２４      雨戸
２４ａ    雨戸枠体
２４Ａ〜２４Ｄ  各雨戸
２４Ａ１  各雨戸２４Ａの右端枠
２４Ｂ１  各雨戸２４Ｂの左端枠
２４Ｂ２  各雨戸２４Ｂの右端枠
２４Ｃ１  各雨戸２４Ｃの右端枠
２４Ｃ２  各雨戸２４Ｃの左端枠
２４Ｄ１  各雨戸２４Ｄの左端枠
２５      網戸
２５Ａ、２５Ｂ  各網戸
２６Ａ    上部枠体
２６Ａ１  上部枠体のレール枠
２６Ａ２  上部網戸固定枠
２６ａ    レール部
２６Ｂ    下部枠体
２６Ｃ    左雨戸枠体
２６Ｄ    右雨戸の枠体
２６Ｅ    左雨戸の枠体の断面略矩形状枠
２６Ｆ    右雨戸の枠体の断面略矩形状枠
２６Ｂ１  支持ガイド枠
２６Ｂ２  下部雨戸枠
２６１    断面略矩形状枠の左内側面
２６２    断面略矩形状枠の右内側面
２６３    断面略矩形状枠の左、右折り返し面部
２６４    断面略矩形状枠の上側内側面
２７      吊戸車
２７ａ    吊戸車の回転軸
２７ｂ    吊戸車の回転軸の左端
２７ｃ    吊戸車の回転軸の右端
２７ｄ    吊戸車の車輪
２８      連結部材
２９ａ    上框
２９ｂ    下框
２９ｃ    中間框
２９ｃ１  中間框の第１枠体
２９ｃ２  中間框の第２枠体
２９ｃ３  中間框の第３枠体
３０      可動ガラリ
３０ａ    可動ガラリの先端部
３０ｂ    可動ガラリの作動軸
３１      窓部材
３１ａ    室外側面の窓部材
３１ｂ    室内側面の窓部材
３２      止め金具
３２ａ    止め金具の第１押え片
３２ａ１  止め金具の第１押え片の第１平面部
３２ａ２  止め金具の第１押え片の第２平面部
３２ａ３  止め金具の第１押え片の長孔
３２ａ４  止め金具の第１押え片の折り返し部
３２ａ５  止め金具の第１押え片の段差状結合部
３２ｂ    止め金具の第２押え片
３２ｂ１  止め金具の第２押え片の第１平面部
３２ｂ２  止め金具の第２押え片の第２平面部
３２ｂ３  止め金具の第２押え片の第１平面部のネジ穴
３２ｂ４  止め金具の第２押え片の第２平面部のネジ穴
３２ｂ５  止め金具の第２押え片の段差状結合部
３２ｃ    止め金具の第１緊締部品
３２ｄ    止め金具の第２緊締部品
３３ａ    窓部材の上方枠
３３ｂ    窓部材の下方枠
３３ｃ    上方枠、下方枠の異形突片
３３１    窓部材の左右枠の垂直面
３４      連結金具
３４ａ    連結金具の回動自在軸部
３４ｂ    連結金具の本体部
３５      吸着部材
３７      雨戸ロック機構
３７ａ    雨戸ロック機構のロックピン
３８      開閉レバーローレット機構
【図１】
2006002378.tif 000003
【図２】
2006002378.tif 000004
【図３】
2006002378.tif 000005
【図４】
2006002378.tif 000006
【図５】
2006002378.tif 000007
【図６】
2006002378.tif 000008
【図７】
2006002378.tif 000009
【図８】
2006002378.tif 000010
【図９】
2006002378.tif 000011
【図１０】
2006002378.tif 000012